(57)【要約】【課題】  一重二重効用吸収冷凍機において、蒸発器で冷却して熱負荷に供給する冷水の温度変動を小さくする。【解決手段】  ガスバーナ４に接続された燃料供給管１７に介在する燃料制御弁Ｖ２の弁開度を、温度センサＳ１が計測した冷水の温度、すなわち蒸発器１で蒸発する冷媒に熱を奪われて冷却され、蒸発器１から吐出して冷／温水管１４を流れる冷水の出口温度ｔを変数とする比例演算により求めた弁開度Ｖｐと、前記冷水の出口温度ｔを変数とするＰＩＤ演算により求めた弁開度Ｖｐｉｄとを比較し、より小さい弁開度を選択してガスバーナ４の火力を制御するようにした。【選択図】  図１
2006343042.tif 000002
【特許請求の範囲】
【請求項１】
蒸発器と吸収器とを収納した蒸発器吸収器胴、低温再生器と凝縮器とを収納した低温再生器凝縮器胴、他設備から供給される温排水などを熱源とする低熱源再生器と凝縮器とを収納した低熱源再生器凝縮器胴、吸収液加熱用バーナを備えた高温再生器、低温熱交換器、高温熱交換器、冷媒ポンプ、吸収液ポンプなどを配管接続して構成された一重二重効用吸収冷凍機において、前記バーナに供給する燃料の量を調整する燃料制御弁の弁開度が、蒸発器で蒸発する冷媒に熱を奪われ、冷却されて蒸発器から吐出した冷水の出口温度を変数とする比例演算により求めた弁開度と、前記冷水の出口温度を変数とするＰＩＤ演算により求めた弁開度とを比較し、より小さい弁開度を選択して前記バーナの火力を制御することを特徴とする一重二重効用吸収冷凍機の運転方法。
【請求項２】
燃料制御弁の開弁操作は、他設備から供給される温排水の流量を制御する弁の開度が１００％の全開のときに限定してなされることを特徴とする請求項１記載の一重二重効用吸収冷凍機の運転方法。
【請求項３】
燃料制御弁の全閉操作後の、高温再生器温度の低下または時間の経過に伴って、高温再生器への吸収液の循環供給量が漸減されることを特徴とする請求項１または２記載の一重二重効用吸収冷凍機の運転方法。
【発明の詳細な説明】
【技術分野】
【０００１】
本発明は、一重二重効用吸収冷凍機（吸収冷温水機を含む）の運転方法に係わるものである。
【背景技術】
【０００２】
この種の吸収冷凍機としては、例えば図６に示したようにガスバーナ４で生成する燃焼熱を熱源として吸収液を加熱し冷媒を蒸発分離する高温再生器５、その高温再生器５から供給される冷媒蒸気を熱源として吸収液を加熱し冷媒を蒸発分離する二重効用再生器の低温再生器６、その低温再生器６に並設され、低温再生器６から供給される冷媒蒸気を凝縮する二重効用凝縮器の凝縮器７、コージェネレーション装置などから低熱源供給管１６を介して供給される、例えば８０℃程度の比較的低温度の温排水を熱源として吸収液を加熱し冷媒を蒸発分離する一重効用再生器の低熱源再生器９、その低熱源再生器９に並設され、低熱源再生器９から供給される冷媒蒸気を凝縮する一重効用凝縮器の凝縮器１０、凝縮器７および凝縮器１０から供給される冷媒液を蒸発させる蒸発器１、その蒸発器１で蒸発した冷媒蒸気を低温再生器６から供給される濃吸収液に吸収させる吸収器２、稀吸収液ポンプＰ１、中間吸収液ポンプＰ２、冷媒ポンプＰ３などを備えた一重二重効用の吸収冷凍機１００Ｘが周知である（例えば、特許文献１参照。）。
【０００３】
なお、図中３は蒸発器１と吸収器２とを収納した蒸発器吸収器胴、８は低温再生器６と凝縮器７とを収納した低温再生器凝縮器胴、１１は低熱源再生器９と凝縮器１０とを収納した低熱源再生器凝縮器胴、１２は低温熱交換器、１３は高温熱交換器、１４は図示しない熱負荷に冷熱または温熱を循環供給して冷暖房などを行うための冷水または温水が内部を流れる冷／温水管、１５は冷却水管である。
【０００４】
上記構成の吸収冷凍機１００Ｘにおいては、図示しないコージェネレーション装置などの他の設備から低熱源供給管１６を介して低熱源再生器９に供給される温排水を優先的に使用して、全体の省エネ効果を上げることが期待される。
【０００５】
そのため、蒸発器１で冷却し、冷／温水管１４を介して熱負荷に循環供給する冷水の蒸発器出口温度が設定温度以下まで低下すると、ガスバーナ４への燃料供給を停止し、低熱源供給管１６を介して供給される温排水のみを熱源として運転されるようになっていた。
【特許文献１】特開平６−３４１７２９号公報
【発明の開示】
【発明が解決しようとする課題】
【０００６】
しかし、上記従来の制御方法では、コージェネレーション装置などの他の設備から供給される排熱の優先的使用は可能であるが、高燃焼から一気に燃焼停止状態になることもあり、熱負荷に供給する冷水の蒸発器出口温度が大きくハンチングする恐れがあった。
【０００７】
したがって、省エネ運転が可能に温排水の使用を優先するが、熱負荷に循環供給する冷水の出口温度が大きく変動しないようにする必要があり、その解決が課題となっていた。
【課題を解決するための手段】
【０００８】
蒸発器と吸収器とを収納した蒸発器吸収器胴、低温再生器と凝縮器とを収納した低温再生器凝縮器胴、他設備から供給される温排水などを熱源とする低熱源再生器と凝縮器とを収納した低熱源再生器凝縮器胴、吸収液加熱用バーナを備えた高温再生器、低温熱交換器、高温熱交換器、冷媒ポンプ、吸収液ポンプなどを配管接続して構成された一重二重効用吸収冷凍機において、前記バーナに供給する燃料の量を調整する燃料制御弁の弁開度が、蒸発器で蒸発する冷媒に熱を奪われ、冷却されて蒸発器から吐出した冷水の出口温度を変数とする比例演算により求めた弁開度と、前記冷水の出口温度を変数とするＰＩＤ演算により求めた弁開度とを比較し、より小さい弁開度を選択して前記バーナの火力を制御することを主要な特徴とする冷凍機である。
【発明の効果】
【０００９】
本発明によれば、燃焼量の急激な変動がなくなったため、温度変動の小さい冷水を熱負荷に供給することができる。また、燃料制御弁の開弁操作が、温排水の流量を制御する弁の開度が１００％の全開のときに限定されるようにした請求項２の発明においては、他の設備から供給される排熱を最大限利用した運転が可能になる。
【発明を実施するための最良の形態】
【００１０】
蒸発器と吸収器とを収納した蒸発器吸収器胴、低温再生器と凝縮器とを収納した低温再生器凝縮器胴、他設備から供給される温排水などを熱源とする低熱源再生器と凝縮器とを収納した低熱源再生器凝縮器胴、吸収液加熱用バーナを備えた高温再生器、低温熱交換器、高温熱交換器、冷媒ポンプ、吸収液ポンプなどを配管接続して構成された一重二重効用吸収冷凍機において、前記バーナに供給する燃料の量を調整する燃料制御弁の弁開度が、蒸発器で蒸発する冷媒に熱を奪われ、冷却されて蒸発器から吐出した冷水の出口温度を変数とする比例演算により求めた弁開度と、前記冷水の出口温度を変数とするＰＩＤ演算により求めた弁開度とを比較し、より小さい弁開度を選択して前記バーナの火力を制御するものであり、燃料制御弁の開弁操作は、他設備から供給される温排水の流量を制御する弁の開度が１００％の全開のときに限定してなされるように、また、燃料制御弁の全閉操作後の、高温再生器温度の低下または時間の経過に伴って、高温再生器への吸収液の循環供給量を漸減するようにした。
【実施例１】
【００１１】
以下、本発明の一実施例を図１〜図４に基づいて詳細に説明する。なお、理解を容易にするためこれらの図においても、前記図６において説明した部分と同様の機能を有する部分には同一の符号を付し、理解を妨げない範囲で説明を省略した。
【００１２】
図１に例示した本発明の吸収冷凍機１００は、冷媒に水を、吸収液に臭化リチウム（ＬｉＢｒ）水溶液を使用した一重二重効用の吸収式冷温水機であり、蒸発器１と吸収器２とを収納した蒸発器吸収器胴３、吸収液加熱手段としてのガスバーナ４を備えた高温再生器５、低温再生器６、低温再生器６に並設された凝縮器７、低温再生器６と凝縮器７とを収納した低温再生器凝縮器胴８、他の設備から供給される温排水などを熱源とする低熱源再生器９、低熱源再生器９に並設された凝縮器１０、低熱源再生器９と凝縮器１０とを収納した低熱源再生器凝縮器胴１１、低温熱交換器１２、高温熱交換器１３、稀吸収液ポンプＰ１、中間吸収液ポンプＰ２、冷媒ポンプＰ３、三方弁Ｖ１、燃料制御弁Ｖ２、開閉弁Ｖ３〜Ｖ７などを備えており、それらは図示したように吸収液管２１〜２６、冷媒管３１〜３５などを介して配管接続されている。また、符号１４は図示しない熱負荷に冷水または温水を循環供給するための冷／温水管、１５は冷却水管、１６は低熱源供給管、１７は燃料供給管、１８は均圧管、Ｃは制御器である。
【００１３】
そして、上記構成の吸収冷凍機１００の冷房等の冷却運転時においては、冷／温水管１４を介して図示しない熱負荷に循環供給される冷水の蒸発器１出口側温度、すなわち冷媒ポンプＰ３により揚液されて散布器１Ａから伝熱管１Ｂの上に散布された冷媒液が蒸発する際の気化熱により、伝熱管１Ｂ内を流れる際に冷却され、蒸発器１から吐出して温度センサＳ１により計測された冷水の蒸発器出口温度ｔが所定の設定温度、例えば７℃になるように吸収冷凍機１００に投入される熱量が制御器Ｃにより制御される。
【００１４】
具体的には、例えば制御器Ｃの図示しないメモリー部には、ガスバーナ４の燃料制御弁Ｖ２の開度を図２に例示したように、前記冷水の出口温度ｔを変数とする、異なる２方式で先ず演算算出し、その内の小さい開度を選択して調節するための制御プログラムと、ガスバーナ４でガスが燃焼し、高温再生器５において吸収液が加熱されているときには、低熱源供給管１６の三方弁Ｖ１の低熱源再生器９側開度（低熱源供給管１６を流れてきた温排水が低熱源再生器９側に流れる最大流量に対する流量比率。以下、単に三方弁Ｖ１の開度と云う。）を１００％、すなわち全開し、ガスバーナ４でガスの燃焼がないときには、前記冷水の出口温度ｔを変数とするそれ自体は従来周知のＰＩＤ制御により制御するためのプログラムとが格納されている。
【００１５】
また、制御器Ｃのメモリー部には、前記冷水の出口温度ｔに基づいて、ガスバーナ４に接続された燃料供給管１７の燃料調整弁Ｖ２の上流側に位置する開閉弁Ｖ３の開閉を、図３に示したように制御するための制御プログラムも格納されている。
【００１６】
したがって、蒸発器１で冷却した冷水を、冷／温水管１４を介して熱負荷に循環供給して行う冷房等の冷却運転時においては、制御器Ｃのメモリー部に格納されている制御プログラムにより、燃料制御弁Ｖ２の弁開度は、温度センサＳ１により計測された冷水の蒸発器１出口側温度ｔが８℃より高いときには、Ｖｐ＝Ｖｐｉｄ＝１００％であるので１００％に、すなわち全開に調整され、前記冷水の出口温度ｔが８℃より低く、設定温度の７℃より高いときには、Ｖｐｉｄ≦Ｖｐ＝１００％であるので、前記冷水の出口温度ｔを変数とするＰＩＤ演算方式により算出した弁開度Ｖｐｉｄに調整し、前記冷水の出口温度ｔが設定温度の７℃より低く、６℃より高いときには、前記冷水の出口温度ｔを変数とする比例演算方式により算出した弁開度Ｖｐと、前記冷水の出口温度ｔを変数とするＰＩＤ演算方式により算出した弁開度Ｖｐｉｄとを比較し、より小さい方の弁開度に燃料制御弁Ｖ２の弁開度を調整し、前記冷水の出口温度ｔが６℃より低くいときにはＶｐ＝Ｖｐｉｄ＝０％であるので０％に、すなわち全閉にすると共に、開閉弁Ｖ３も閉弁される。
【００１７】
また、制御器Ｃに格納された前記制御プログラムは、低熱源供給管１６を介して低熱源再生器９に供給する温排水の温度が所定温度、例えば８５℃を超えているときだけ、前記三方弁Ｖ１の弁開度制御が実行されて、低熱源再生器９における温排水による吸収液の加熱がなされるように構成されている。
【００１８】
また、前記プログラムは、低熱源再生器９と三方弁Ｖ１を経由して還流する温排水の温度が所定温度、例えば７０℃以下に低下しないように、低熱源再生器９に流れる温排水の量を制限するようにも構成されている。
【００１９】
したがって、所定の８５℃より高い温度の温排水が低熱源供給管１６を介して供給されている状態で冷却水管１５に冷却水を流しながら冷却運転が開始され、熱負荷が大きいために温度センサＳ１が計測する冷水の出口温度ｔが、例えば８℃より高いときには、制御器Ｃにより燃料供給管１７に介在する開閉弁Ｖ３が開弁され、燃料制御弁Ｖ２は弁開度が１００％に、すなわち全開に調整されてガスバーナ４によるガスの燃焼が行われるので、三方弁Ｖ１も弁開度が１００％の全開に調整されて、吸収冷凍機１００には通常運転時における最大熱量が投入される。
【００２０】
すなわち、この状態では高温再生器５内の吸収液はガスバーナ４により加熱され、低熱源再生器９内の吸収液は低熱源供給管１６を介して供給される温排水により加熱される。
【００２１】
このときの吸収液と冷媒の挙動を説明すると、吸収器２から吸収液管２１を介して稀吸収液ポンプＰ１により低熱源再生器凝縮器胴１１の低熱源再生器９に搬送された稀吸収液は、コージェネレーション装置などの他の設備から低熱源供給管１６を介して供給される温排水により器内で伝熱管９Ｂの管壁を介して加熱され、冷媒を蒸発分離する。
【００２２】
冷媒を蒸発分離して吸収液濃度が高くなった中間吸収液は、吸収液管２２の中間吸収液ポンプＰ２により高温熱交換器１３を経由して加熱され高温再生器５に送られる。
【００２３】
高温再生器５に搬送された中間吸収液は、ここでガスバーナ４による火炎および高温の燃焼ガスにより加熱されて冷媒が蒸発分離する。高温再生器５で冷媒を蒸発分離して濃度が上昇した中間吸収液は、従来の二重効用吸収冷凍機と同様に高温熱交換器１３を経由して低温再生器６へ送られる。
【００２４】
そして、中間吸収液は低温再生器６において、高温再生器５から冷媒蒸気管３１を介して供給されて伝熱管６Ａを流れる高温の冷媒蒸気により加熱され、さらに冷媒が分離して濃度が一段と高くなり、この濃吸収液が低温熱交換器１２を経由して吸収器２へ送られ、上方の散布器２Ａから伝熱管２Ｂの上に散布される。
【００２５】
低熱源再生器９で分離生成した冷媒は、凝縮器１０に入り、冷却水管１５の内部を流れる冷却水に放熱して凝縮し、低温再生器６で分離生成した冷媒は凝縮器７に入って同様に凝縮する。そして、凝縮器７で生成された冷媒液は冷媒管３２を、凝縮器１０で凝縮生成した冷媒液は冷媒管３３を経由して蒸発器１に入り、冷媒ポンプＰ３の運転により揚液されて散布器１Ａから伝熱管１Ｂの上に散布される。
【００２６】
伝熱管１Ｂの上に散布された冷媒液は、伝熱管１Ｂの内部を流れる水から気化熱を奪って蒸発するので、伝熱管１Ｂの内部を流れる水は冷却され、こうして生成された冷水が冷／温水管１４から熱負荷に供給されて冷房等の冷却運転が行われる。
【００２７】
そして、蒸発器１で蒸発した冷媒は吸収器２へ入り、低温再生器６より供給されて上方の散布器２Ａから伝熱管２Ｂの上に散布される濃吸収液に吸収されて、吸収器２の吸収液溜りに溜り、稀吸収液ポンプＰ１によって低熱源再生器凝縮器胴１１の低熱源再生器９に搬送される循環を繰り返す。
【００２８】
上記一重二重効用運転の継続により温度センサＳ１が計測する冷水の出口温度ｔが低下し、８℃以下、７℃以上になったときには、開閉弁Ｖ３は開弁状態が維持され、燃料制御弁Ｖ２の弁開度は図２（Ｂ）に示すＰＩＤ演算方式で算出した弁開度Ｖｐｉｄの弁開度に調整されて、冷水の出口温度ｔが設定温度である７℃に低下する前からガスバーナ４による吸収液の加熱は抑えられるが、ガスバーナ４によるガスの燃焼は継続しているので、三方弁Ｖ１は弁開度が１００％の全開状態が維持され、低熱源供給管１６を介して供給される温排水による吸収液の加熱作用は最大のまま維持される。
【００２９】
高温再生器５における吸収液の加熱を抑えた運転を継続しても、温度センサＳ１が計測する冷水の出口温度ｔが設定温度の７℃以下、６℃以上になったときには、燃料制御弁Ｖ２の弁開度は図２（Ａ）に示す比例演算方式で算出した弁開度Ｖｐと、図２（Ｂ）に示すＰＩＤ演算方式で算出した弁開度Ｖｐｉｄの内の小さい弁開度に調整して、高温再生器５における加熱は一層抑えられるが、ガスバーナ４によるガスの燃焼は継続しているので、三方弁Ｖ１は弁開度が１００％の全開状態が維持され、低熱源供給管１６を介して供給される温排水による吸収液の加熱作用は最大のまま維持される。
【００３０】
そして、高温再生器５における吸収液の加熱を一層抑えていても、前記冷水の出口温度ｔが所定の６℃より低くなると、燃料制御弁Ｖ２の弁開度が０％、すなわち全閉操作されると共に、開閉弁Ｖ３が閉弁されてガスバーナ４によるガスの燃焼が停止され、三方弁Ｖ１の弁開度が前記冷水の出口温度ｔを変数としたＰＩＤ制御により制御されて、吸収液に対する加熱作用が急減することがないので、冷／温水管１４を介して熱負荷に循環供給する冷水の温度が安定する。
【００３１】
なお、ガスバーナ４によるガスの燃焼を停止して高温再生器５における吸収液の加熱を停止したときには、例えば図４に示す関係式から求めた電力の周波数が中間吸収液ポンプＰ２の図示しないモータに供給されて、中間吸収液ポンプＰ２の回転数が制御される。
【００３２】
すなわち、高温再生器５における吸収液の加熱を停止したときには、冷媒の一部を蒸発分離して高温再生器５から吐出し、温度センサＳ２により計測された吸収液の高温再生器出口温度Ｔを変数として設定した関係式から求められる電力の周波数が、中間吸収液ポンプＰ２の図示しないモータに供給されて、中間吸収液ポンプＰ２の回転数が制御されるようにも、前記制御プログラムは構成されている。
【００３３】
したがって、中間吸収液ポンプＰ２の回転数は、高温再生器５内の吸収液の温度低下に連れて次第に減少し、前記吸収液の出口温度Ｔが１００℃まで低下すると、中間吸収液ポンプＰ２は最小回転数で回転するので、吸収液循環量の急激な変動が防止できる。
【００３４】
なお、高温再生器５に設けられた図示しない液面検出手段により、所定の高さを超える液面高が検出されたときには、中間吸収液ポンプＰ２が回転を停止するようにも前記制御プログラムは構成されている。
【００３５】
そして、ガスバーナ４による吸収液の加熱と中間吸収液ポンプＰ２の運転が共に停止されたときには、吸収液は低熱源供給管１６から供給される温排水により低熱源再生器９においてだけ加熱されて冷媒を蒸発分離する。そして、吸収液濃度が高くなった吸収液は、バイパス管２６、低温熱交換器１２を経由して吸収器２に戻される。
【００３６】
一方、低熱源再生器９で分離生成した冷媒蒸気は凝縮器１０に入って凝縮し、冷媒管３３を経由して蒸発器１に入り、冷媒ポンプＰ３の運転により散布器１Ａから伝熱管１Ｂの上に散布され、伝熱管１Ｂ内を通る冷水から熱を奪って蒸発し、吸収器２に入って上方から散布される吸収液に吸収されると云った循環が行われる。
【００３７】
その後、熱負荷が増大して前記冷水の出口温度ｔが６℃以上、７℃以下となっても、開閉弁Ｖ３と燃料制御弁Ｖ２は閉弁を継続してガスバーナ４によるガスの燃焼はないので、三方弁Ｖ１の弁開度を前記冷水の出口温度ｔに基づくＰＩＤ制御が継続され、低熱源供給管１６を介して供給する温排水による吸収液の加熱が強められる。
【００３８】
さらに、熱負荷が増大して前記冷水の出口温度ｔが７℃以上、８℃以下となったときには、開閉弁Ｖ３が開弁し、燃料制御弁Ｖ２の弁開度が図２（Ａ）に示す比例演算方式で算出した弁開度Ｖｐと、図２（Ｂ）に示すＰＩＤ演算方式で算出した弁開度Ｖｐｉｄの内の小さい弁開度に調整されてガスバーナ４によるガスの燃焼が再開されると共に、三方弁Ｖ１の弁開度は１００％に、すなわち全開にされて低熱源供給管１６から供給される温排水を最大限利用する吸収液加熱が再開されるので、吸収液の急加熱が回避され、冷／温水管１４を介して熱負荷に循環供給する冷水の温度が安定する。
【００３９】
そして、熱負荷がさらに増大して前記冷水の出口温度ｔが８℃以上に上昇したときには、開閉弁Ｖ３は開弁が維持され、三方弁Ｖ１と燃料制御弁Ｖ２の弁開度は共に１００％に、すなわち全開に調整されて、吸収冷凍機１００への投入熱量が通常運転時における最大熱量に戻される。
【００４０】
なお、熱負荷は大きいが、低熱源供給管１６を介して低熱源再生器９に供給する温排水の温度が所定の８５℃に達していないときと、低熱源再生器９と三方弁Ｖ１を経由して還流する温排水の温度が７０℃に達していないときには、低熱源供給管１６から低熱源再生器９に温排水が供給されないように三方弁Ｖ１を切替えると共に、全てのポンプを起動し、且つ、ガスバーナ４においてガスを燃焼させる二重効用運転を行う。この場合も、温度センサＳ１が計測する冷水の出口温度が所定温度の７℃となるように、ガスバーナ４の火力が制御器Ｃにより制御される。
【００４１】
この二重効用運転では、吸収器２の吸収液溜りにある稀吸収液は稀吸収液ポンプＰ１により低熱源再生器９に搬送されるが、伝熱管９Ｂには熱源としての温排水は供給されていないので、加熱されないまま中間吸収液ポンプＰ２の運転により高温熱交換器１３を経由して高温再生器５に搬送され、その後は前記一重二重効用運転時と同様に循環しながら加熱されて、高温再生器５と低温再生器６とで吸収液の濃縮再生と冷媒の分離生成がなされる。
【００４２】
上記構成の本発明の一重二重効用吸収冷凍機１００においては、ガスバーナ４における燃焼の停止と再開が、燃料制御弁Ｖ２の弁開度が大きい状態でなされないので、蒸発器１から冷／温水管１４を介して熱負荷に循環供給する冷水の出口温度が安定する。
【００４３】
なお、本発明は上記実施例に限定されるものではないので、特許請求の範囲に記載の趣旨から逸脱しない範囲で各種の変形実施が可能である。
【００４４】
例えば、ガスバーナ４による吸収液の加熱を停止したときの中間吸収液ポンプＰ２の回転は、上記のように制御する他にも、図５に示したように制御することも可能である。
【００４５】
すなわち、ガスバーナ４による高温再生器５の吸収液の加熱を停止したときには、燃焼停止からの時間の経過と共に減少するように設けた適宜の係数を、燃焼停止時の中間吸収液ポンプＰ２のモータに供給していた電力周波数に乗算して得られた周波数を中間吸収液ポンプＰ２のモータに供給して、中間吸収液ポンプＰ２の回転数を制御するように、制御器Ｃのメモリー部に格納された制御プログラムは変更されても良い。中間吸収液ポンプＰ２をこのように制御しても、吸収液循環量の急激な変動は防止できる。
【図面の簡単な説明】
【００４６】
【図１】本発明の吸収冷凍機の構成を示す説明図である。
【図２】燃料制御弁の弁開度決定要領を示す説明図である。
【図３】燃料供給管に介在する開閉弁の制御要領を示す説明図である。
【図４】中間吸収液ポンプの制御要領を示す説明図である。
【図５】中間吸収液ポンプの他の制御要領を示す説明図である。
【図６】従来技術を示す説明図である。
【符号の説明】
【００４７】
１  蒸発器
２  吸収器
３  蒸発器吸収器胴
４  ガスバーナ
５  高温再生器
６  低温再生器
７  凝縮器
８  低温再生器凝縮器胴
９  低熱源再生器
１０  凝縮器
１１  低熱源再生器凝縮器胴
１２  低温熱交換器
１３  高温熱交換器
１４  冷／温水管
１５  冷却水管
１６  低熱源供給管
１７  燃料供給管
２１〜２６  吸収液管
３１〜３５  冷媒管
Ｃ  制御器
Ｐ１  稀吸収液ポンプ
Ｐ２  中間吸収液ポンプ
Ｐ３  冷媒ポンプ
Ｓ１  温度センサ
Ｖ１  三方弁
Ｖ２  燃料制御弁
Ｖ３〜Ｖ７  開閉弁
１００、１００Ｘ  吸収冷凍機
【図１】
2006343042.tif 000003
【図２】
2006343042.tif 000004
【図３】
2006343042.tif 000005
【図４】
2006343042.tif 000006
【図５】
2006343042.tif 000007
【図６】
2006343042.tif 000008